【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
システム帯域幅の狭帯域領域中の動作をサポートするシステムにおけるワイヤレス通信の方法、ここにおいて、狭帯域領域を使用するデバイスが第１のサンプリングレートを使用し、前記システム帯域幅を監視するデバイスがデフォルトサンプリングレートを使用する、であって、
前記システム帯域幅に関連する前記デフォルトサンプリングレートよりも小さい前記第１のサンプリングレートに少なくとも部分的に基づいてシーケンスを生成することと、ここにおいて、前記デフォルトサンプリングレートが前記第１のサンプリングレートの整数倍である、
第１のサイクリックプレフィックスを生成することと、ここにおいて、前記第１のサイクリックプレフィックスが前記第１のサンプリングレートに関連する、
前記狭帯域領域中で前記シーケンスと前記第１のサイクリックプレフィックスとを備える信号を送信することと
を備える、方法。
【請求項２】
前記第１のサンプリングレートに関連する、第２のサイクリックプレフィックスと第３のサイクリックプレフィックスとを生成することをさらに備え、ここにおいて、前記第１のサイクリックプレフィックスが、第１の持続時間を有し、ここにおいて、前記第２のサイクリックプレフィックスと前記第３のサイクリックプレフィックスとが、前記第１の持続時間よりも短い第２の持続時間を有し、
ここにおいて、前記信号が、前記第１のサイクリックプレフィックスをもつ第１のシンボル期間と、前記第２のサイクリックプレフィックスをもつ第２のシンボル期間と、前記第３のサイクリックプレフィックスをもつ第３のシンボル期間とを備え、
ここにおいて、前記第１のシンボル期間が、前記システム帯域幅に関連するシンボル期間と整合し、ここにおいて、前記第２のシンボル期間と前記第３のシンボル期間とを備える第１のペアが、前記システム帯域幅に関連するシンボル期間の第２のペアと整合する、
請求項１に記載の方法。
【請求項３】
前記第１のサンプリングレートに関連するシンボルを、前記第１のサンプリングレートよりも大きく、前記デフォルトサンプリングレートよりも小さい第３のサンプリングレートに変換すること
をさらに備える、請求項１に記載の方法。
【請求項４】
前記第３のサンプリングレートにおいてフィラーサンプルを生成することをさらに備え、ここにおいて、前記信号が、少なくとも１つのフィラーサンプルを有するシンボルを備える、
請求項３に記載の方法。
【請求項５】
前記狭帯域領域に関連するシンボル期間が、前記システム帯域幅に関連するシンボル期間と整合する、請求項４に記載の方法。
【請求項６】
前記シーケンスを生成することが、前記第１のサンプリングレートに少なくとも部分的に基づいて逆高速フーリエ変換を実行することを備える、または、
前記シーケンスを生成することが、前記第１のサンプリングレートに少なくとも部分的に基づいてデジタルアナログ変換を実行することを備える、
請求項１に記載の方法。
【請求項７】
スペクトルマスクに少なくとも部分的に基づいて低レイテンシ送信フィルタを適用すること
をさらに備える、請求項１に記載の方法。
【請求項８】
前記シーケンスにポストフィックスを付加することをさらに備え、ここにおいて、前記信号が、第１のシンボルウィンドウと第２のシンボルウィンドウとを備え、前記第１のシンボルウィンドウが、前記シーケンスと、前記第１のサイクリックプレフィックスと、前記ポストフィックスとを備え、
ここにおいて、前記第１のシンボルウィンドウの前記ポストフィックスが、前記第２のシンボルウィンドウの第２のサイクリックプレフィックスと重複する、
請求項１に記載の方法。
【請求項９】
システム帯域幅の狭帯域領域中の動作をサポートするシステムにおけるワイヤレス通信の方法、ここにおいて、狭帯域領域を使用するデバイスが第１のサンプリングレートを使用し、前記システム帯域幅を監視するデバイスがデフォルトサンプリングレートを使用する、であって、
前記狭帯域領域中で信号を受信することと、前記信号が、前記システム帯域幅に関連する前記デフォルトサンプリングレートよりも小さい前記第１のサンプリングレートに少なくとも部分的に基づき、ここにおいて、前記デフォルトサンプリングレートが前記第１のサンプリングレートの整数倍である、
前記第１のサンプリングレートにおいて前記信号のサンプルの第１のセットを識別することと、ここにおいて、サンプルの前記第１のセットのうちの少なくとも１つのサンプルが、前記第１のサンプリングレートに関連する第１のサイクリックプレフィックスに対応する、
サンプルの前記第１のセットのサブセットから情報を抽出することと、ここにおいて、前記サブセットが、前記第１のサイクリックプレフィックスに対応する前記少なくとも１つのサンプルを除外する、
を備える、方法。
【請求項１０】
前記第１のサンプリングレートにおいて前記信号のサンプルの第２のセットを識別することと、ここにおいて、サンプルの前記第２のセットのうちの少なくとも１つのサンプルが、前記第１のサンプリングレートに関連する第２のサイクリックプレフィックスに対応する、
前記第１のサンプリングレートにおいて前記信号のサンプルの第３のセットを識別することと、ここにおいて、サンプルの前記第３のセットのうちの少なくとも１つのサンプルが、前記第１のサイクリックプレフィックスに対応する、
をさらに備え、
ここにおいて、サンプルの前記第１のセットが、サブフレームの第１のシンボル期間に対応し、サンプルの前記第２のセットが、前記第１のシンボル期間に続く前記サブフレームの第２のシンボル期間に対応し、サンプルの前記第３のセットが、前記第２のシンボル期間に続く前記サブフレームの第３のシンボル期間に対応する、
請求項９に記載の方法。
【請求項１１】
前記第２のシンボル期間と前記第３のシンボル期間とを備える第１のペアが、前記システム帯域幅に関連するシンボル期間の第２のペアと整合する、請求項１０に記載の方法。
【請求項１２】
前記第１のサンプリングレートよりも小さい第３のサンプリングレートにおいてサンプルの前記第１のセットの前記サブセットを処理すること
をさらに備え、
ここにおいて、サンプルの前記第１のセットが、前記第３のサンプリングレートに関連するフィラーサンプルを備え、サンプルの前記第１のセットの前記サブセットが、前記フィラーサンプルを除外し、
ここにおいて、前記狭帯域領域に関連するシンボル期間が、前記システム帯域幅に関連するシンボル期間と整合する、
請求項９に記載の方法。
【請求項１３】
サンプルの前記第１のセットが、前記狭帯域領域に関連するタイミング構成のシンボル期間に対応し、ここにおいて、前記狭帯域領域に関連する前記タイミング構成のサブフレームが、前記システム帯域幅に関連するタイミング構成のサブフレームと整合する、請求項９に記載の方法。
【請求項１４】
システム帯域幅の狭帯域領域中の動作をサポートするシステムにおけるワイヤレス通信のための装置、ここにおいて、狭帯域領域を使用するデバイスが第１のサンプリングレートを使用し、前記システム帯域幅を監視するデバイスがデフォルトサンプリングレートを使用する、であって、
プロセッサと、
前記プロセッサと電子通信しているメモリと、
前記メモリに記憶された命令とを備え、前記命令は、
前記システム帯域幅に関連する前記デフォルトサンプリングレートよりも小さい前記第１のサンプリングレートに少なくとも部分的に基づいてシーケンスを生成することと、ここにおいて、前記デフォルトサンプリングレートが前記第１のサンプリングレートの整数倍である、
第１のサイクリックプレフィックスを生成することと、ここにおいて、前記第１のサイクリックプレフィックスが前記第１のサンプリングレートに関連する、
前記狭帯域領域中で前記シーケンスと前記第１のサイクリックプレフィックスとを備える信号を送信することと
を行うために前記プロセッサによって実行可能である、
装置。
【請求項１５】
システム帯域幅の狭帯域領域中の動作をサポートするシステムにおけるワイヤレス通信のための装置、ここにおいて、狭帯域領域を使用するデバイスが第１のサンプリングレートを使用し、前記システム帯域幅を監視するデバイスがデフォルトサンプリングレートを使用する、であって、
プロセッサと、
前記プロセッサと電子通信しているメモリと、
前記メモリに記憶された命令とを備え、前記命令は、
前記狭帯域領域中で信号を受信することと、前記信号が、前記システム帯域幅に関連するデフォルトサンプリングレートよりも小さい前記第１のサンプリングレートに少なくとも部分的に基づき、ここにおいて、前記デフォルトサンプリングレートが前記第１のサンプリングレートの整数倍である、
前記第１のサンプリングレートにおいて前記信号のサンプルの第１のセットを識別することと、ここにおいて、サンプルの前記第１のセットのうちの少なくとも１つのサンプルが、前記第１のサンプリングレートに関連する第１のサイクリックプレフィックスに対応する、
サンプルの前記第１のセットのサブセットから情報を抽出することと、ここにおいて、前記サブセットが、前記第１のサイクリックプレフィックスに対応する前記少なくとも１つのサンプルを除外する、
を行うために前記プロセッサによって実行可能である、
装置。
【手続補正２】
【補正対象書類名】明細書
【補正対象項目名】０１４２
【補正方法】変更
【補正の内容】
【０１４２】
[0145]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に本願発明の当初の特許請求の範囲に記載された発明を付記する。
［Ｃ１］
システム帯域幅の狭帯域領域中の動作をサポートするシステムにおけるワイヤレス通信の方法であって、
前記システム帯域幅に関連する第２のサンプリングレートよりも小さい第１のサンプリングレートに少なくとも部分的に基づいてシーケンスを生成することと、
第１のサイクリックプレフィックスを生成することと、ここにおいて、前記第１のサイクリックプレフィックスが前記第１のサンプリングレートに関連する、
前記狭帯域領域中で前記シーケンスと前記第１のサイクリックプレフィックスとを備える信号を送信することと
を備える、方法。
［Ｃ２］
前記第１のサンプリングレートに関連する、第２のサイクリックプレフィックスと第３のサイクリックプレフィックスとを生成することをさらに備え、ここにおいて、前記第１のサイクリックプレフィックスが、第１の持続時間を有し、ここにおいて、前記第２のサイクリックプレフィックスと前記第３のサイクリックプレフィックスとが、前記第１の持続時間よりも短い第２の持続時間を有し、
ここにおいて、前記信号が、前記第１のサイクリックプレフィックスをもつ第１のシンボル期間と、前記第２のサイクリックプレフィックスをもつ第２のシンボル期間と、前記第３のサイクリックプレフィックスをもつ第３のシンボル期間とを備える、
Ｃ１に記載の方法。
［Ｃ３］
前記第１のシンボル期間が、前記システム帯域幅に関連するシンボル期間と整合し、前記第２のシンボル期間と前記第３のシンボル期間とを備える第１のペアが、前記システム帯域幅に関連するシンボル期間の第２のペアと整合する、Ｃ２に記載の方法。
［Ｃ４］
前記第１のサンプリングレートに関連するシンボルを、前記第１のサンプリングレートよりも大きく、前記第２のサンプリングレートよりも小さい第３のサンプリングレートに変換すること
をさらに備える、Ｃ１に記載の方法。
［Ｃ５］
前記第３のサンプリングレートにおいてフィラーサンプルを生成することをさらに備え、ここにおいて、前記信号が、少なくとも１つのフィラーサンプルを有するシンボルを備える、
Ｃ４に記載の方法。
［Ｃ６］
前記狭帯域領域に関連するシンボル期間が、前記システム帯域幅に関連するシンボル期間と整合する、Ｃ５に記載の方法。
［Ｃ７］
前記シーケンスを生成することが、
前記第１のサンプリングレートに少なくとも部分的に基づいて逆高速フーリエ変換を実行すること
を備える、Ｃ１に記載の方法。
［Ｃ８］
前記シーケンスを生成することが、
前記第１のサンプリングレートに少なくとも部分的に基づいてデジタルアナログ変換を実行すること
を備える、Ｃ１に記載の方法。
［Ｃ９］
スペクトルマスクに少なくとも部分的に基づいて低レイテンシ送信フィルタを適用すること
をさらに備える、Ｃ１に記載の方法。
［Ｃ１０］
前記シーケンスにポストフィックスを付加することをさらに備え、ここにおいて、前記信号が、第１のシンボルウィンドウと第２のシンボルウィンドウとを備え、前記第１のシンボルウィンドウが、前記シーケンスと、前記第１のサイクリックプレフィックスと、前記ポストフィックスとを備え、
ここにおいて、前記第１のシンボルウィンドウの前記ポストフィックスが、前記第２のシンボルウィンドウの第２のサイクリックプレフィックスと重複する、
Ｃ１に記載の方法。
［Ｃ１１］
前記信号が、前記狭帯域領域に関連するタイミング構成のシンボル期間を備え、ここにおいて、前記狭帯域領域に関連する前記タイミング構成のサブフレームが、前記システム帯域幅に関連するタイミング構成のサブフレームと整合する、Ｃ１に記載の方法。
［Ｃ１２］
システム帯域幅の狭帯域領域中の動作をサポートするシステムにおけるワイヤレス通信の方法であって、
前記狭帯域領域中で信号を受信することと、前記信号が、前記システム帯域幅に関連する第２のサンプリングレートよりも小さい第１のサンプリングレートに少なくとも部分的に基づく、
前記第１のサンプリングレートにおいて前記信号のサンプルの第１のセットを識別することと、ここにおいて、サンプルの前記第１のセットのうちの少なくとも１つのサンプルが、前記第１のサンプリングレートに関連する第１のサイクリックプレフィックスに対応する、
サンプルの前記第１のセットのサブセットから情報を抽出することと、ここにおいて、前記サブセットが、前記第１のサイクリックプレフィックスに対応する前記少なくとも１つのサンプルを除外する、
を備える、方法。
［Ｃ１３］
前記第１のサンプリングレートにおいて前記信号のサンプルの第２のセットを識別することと、ここにおいて、サンプルの前記第２のセットのうちの少なくとも１つのサンプルが、前記第１のサンプリングレートに関連する第２のサイクリックプレフィックスに対応する、
前記第１のサンプリングレートにおいて前記信号のサンプルの第３のセットを識別することと、ここにおいて、サンプルの前記第３のセットのうちの少なくとも１つのサンプルが、前記第１のサイクリックプレフィックスに対応する、
をさらに備え、
ここにおいて、サンプルの前記第１のセットが、サブフレームの第１のシンボル期間に対応し、サンプルの前記第２のセットが、前記第１のシンボル期間に続く前記サブフレームの第２のシンボル期間に対応し、サンプルの前記第３のセットが、前記第２のシンボル期間に続く前記サブフレームの第３のシンボル期間に対応する、
Ｃ１２に記載の方法。
［Ｃ１４］
前記第２のシンボル期間と前記第３のシンボル期間とを備える第１のペアが、前記システム帯域幅に関連するシンボル期間の第２のペアと整合する、Ｃ１３に記載の方法。
［Ｃ１５］
前記第１のサンプリングレートよりも小さい第３のサンプリングレートにおいてサンプルの前記第１のセットの前記サブセットを処理すること
をさらに備える、Ｃ１２に記載の方法。
［Ｃ１６］
サンプルの前記第１のセットが、前記第３のサンプリングレートに関連するフィラーサンプルを備え、サンプルの前記第１のセットの前記サブセットが、前記フィラーサンプルを除外する、Ｃ１５に記載の方法。
［Ｃ１７］
前記狭帯域領域に関連するシンボル期間が、前記システム帯域幅に関連するシンボル期間と整合する、Ｃ１６に記載の方法。
［Ｃ１８］
サンプルの前記第１のセットが、前記狭帯域領域に関連するタイミング構成のシンボル期間に対応し、ここにおいて、前記狭帯域領域に関連する前記タイミング構成のサブフレームが、前記システム帯域幅に関連するタイミング構成のサブフレームと整合する、Ｃ１２に記載の方法。
［Ｃ１９］
システム帯域幅の狭帯域領域中の動作をサポートするシステムにおけるワイヤレス通信のための装置であって、
プロセッサと、
前記プロセッサと電子通信しているメモリと、
前記メモリに記憶された命令とを備え、前記命令は、
前記システム帯域幅に関連する第２のサンプリングレートよりも小さい第１のサンプリングレートに少なくとも部分的に基づいてシーケンスを生成することと、
第１のサイクリックプレフィックスを生成することと、ここにおいて、前記第１のサイクリックプレフィックスが前記第１のサンプリングレートに関連する、
前記狭帯域領域中で前記シーケンスと前記第１のサイクリックプレフィックスとを備える信号を送信することと
を行うために前記プロセッサによって実行可能である、
装置。
［Ｃ２０］
前記命令が、
前記第１のサンプリングレートに関連する第２のサイクリックプレフィックスと第３のサイクリックプレフィックスとを生成することを行うために前記プロセッサによって実行可能であり、ここにおいて、前記第１のサイクリックプレフィックスが、第１の持続時間を有し、前記第２のサイクリックプレフィックスと前記第３のサイクリックプレフィックスとが、前記第１の持続時間よりも短い第２の持続時間を有し、
ここにおいて、前記信号が、前記第１のサイクリックプレフィックスをもつ第１のシンボル期間と、前記第２のサイクリックプレフィックスをもつ第２のシンボル期間と、前記第３のサイクリックプレフィックスをもつ第３のシンボル期間とを備える、
Ｃ１９に記載の装置。
［Ｃ２１］
前記命令が、
前記第１のサンプリングレートに関連するシンボルを、前記第１のサンプリングレートよりも大きく、前記第２のサンプリングレートよりも小さい第３のサンプリングレートに変換すること
を行うために前記プロセッサによって実行可能である、Ｃ１９に記載の装置。
［Ｃ２２］
前記命令が、
前記第１のサンプリングレートに少なくとも部分的に基づいて逆高速フーリエ変換を実行すること
を行うために前記プロセッサによって実行可能である、Ｃ１９に記載の装置。
［Ｃ２３］
前記命令が、
前記第１のサンプリングレートに少なくとも部分的に基づいてデジタルアナログ変換を実行すること
を行うために前記プロセッサによって実行可能である、Ｃ１９に記載の装置。
［Ｃ２４］
前記命令が、
スペクトルマスクに少なくとも部分的に基づいて低レイテンシ送信フィルタを適用すること
を行うために前記プロセッサによって実行可能である、Ｃ１９に記載の装置。
［Ｃ２５］
前記命令が、
前記シーケンスにポストフィックスを付加することを行うために前記プロセッサによって実行可能であり、ここにおいて、前記信号が、第１のシンボルウィンドウと第２のシンボルウィンドウとを備え、前記第１のシンボルウィンドウが、前記シーケンスと、前記第１のサイクリックプレフィックスと、前記ポストフィックスとを備え、
ここにおいて、前記第１のシンボルウィンドウの前記ポストフィックスが、前記第２のシンボルウィンドウの第２のサイクリックプレフィックスと重複する、
Ｃ１９に記載の装置。
［Ｃ２６］
前記信号が、前記狭帯域領域に関連するタイミング構成のシンボル期間を備え、ここにおいて、前記狭帯域領域に関連する前記タイミング構成のサブフレームが、前記システム帯域幅に関連するタイミング構成のサブフレームと整合する、Ｃ１９に記載の装置。
［Ｃ２７］
システム帯域幅の狭帯域領域中の動作をサポートするシステムにおけるワイヤレス通信のための装置であって、
プロセッサと、
前記プロセッサと電子通信しているメモリと、
前記メモリに記憶された命令とを備え、前記命令は、
前記狭帯域領域中で信号を受信することと、前記信号が、前記システム帯域幅に関連する第２のサンプリングレートよりも小さい第１のサンプリングレートに少なくとも部分的に基づく、
前記第１のサンプリングレートにおいて前記信号のサンプルの第１のセットを識別することと、ここにおいて、サンプルの前記第１のセットのうちの少なくとも１つのサンプルが、前記第１のサンプリングレートに関連する第１のサイクリックプレフィックスに対応する、
サンプルの前記第１のセットのサブセットから情報を抽出することと、ここにおいて、前記サブセットが、前記第１のサイクリックプレフィックスに対応する前記少なくとも１つのサンプルを除外する、
を行うために前記プロセッサによって実行可能である、
装置。
［Ｃ２８］
前記命令は、
前記第１のサンプリングレートにおいて前記信号のサンプルの第２のセットを識別することと、ここにおいて、サンプルの前記第２のセットのうちの少なくとも１つのサンプルが、前記第１のサンプリングレートに関連する第２のサイクリックプレフィックスに対応する、
前記第１のサンプリングレートにおいて前記信号のサンプルの第３のセットを識別することと、ここにおいて、サンプルの前記第３のセットのうちの少なくとも１つのサンプルが、前記第１のサイクリックプレフィックスに対応する、
を行うために前記プロセッサによって実行可能であり、
ここにおいて、サンプルの前記第１のセットが、サブフレームの第１のシンボル期間に対応し、サンプルの前記第２のセットが、前記第１のシンボル期間に続く前記サブフレームの第２のシンボル期間に対応し、サンプルの前記第３のセットが、前記第２のシンボル期間に続く前記サブフレームの第３のシンボル期間に対応する、
Ｃ２７に記載の装置。
［Ｃ２９］
前記命令が、
前記第１のサンプリングレートよりも小さい第３のサンプリングレートにおいてサンプルの前記第１のセットの前記サブセットを処理すること
を行うために前記プロセッサによって実行可能である、Ｃ２７に記載の装置。
［Ｃ３０］
サンプルの前記第１のセットが、前記狭帯域領域に関連するタイミング構成のシンボル期間に対応し、ここにおいて、前記狭帯域領域に関連する前記タイミング構成のサブフレームが、前記システム帯域幅に関連するタイミング構成のサブフレームと整合する、Ｃ２７に記載の装置。